(57)【要約】【課題】冗長構成を有する局側装置により、マルチキャストサービスの円滑な提供を実現するための技術を提供する。【解決手段】局側装置（１ａ）は、端末装置（５）を収容する宅側装置（２）が接続された受動的光ネットワーク（３）を終端する第１の光回線ユニット（１２）と、第２の光回線ユニット（１２−Ｎ＋１）と、切換部（１１ａ）とを備える。第１の光回線ユニット（１２）は、端末装置（５）からの要求に応じたマルチキャストフレームを端末装置（５）に配信するマルチキャスト状態を記憶しておいて、宅側装置（２）がマルチキャストフレームを通すように宅側装置（２）を設定する。第２の光回線ユニット（１２−Ｎ＋１）は、第１の光回線ユニット（１２）から第２の光回線ユニット（１２−Ｎ＋１）への切換に応じてマルチキャスト状態に移行する。【選択図】図１
2015035760.tif 000002
【特許請求の範囲】
【請求項１】
端末装置を収容する宅側装置が接続された受動的光ネットワークを終端する第１の光回線ユニットと、
第２の光回線ユニットと、
前記第２の光回線ユニットが前記受動的光ネットワークを終端するように前記第１の光回線ユニットから前記第２の光回線ユニットへの切換を実行する切換部とを備え、
前記第１の光回線ユニットは、前記端末装置からの要求に応じたマルチキャストフレームを前記端末装置に配信するマルチキャスト状態を記憶しておいて、前記マルチキャスト状態に基づいて、前記宅側装置が前記マルチキャストフレームを通すように前記宅側装置を設定し、
前記第２の光回線ユニットは、前記第１の光回線ユニットから前記第２の光回線ユニットへの前記切換に応じて前記マルチキャスト状態に移行する、局側装置。
【請求項２】
前記第１の光回線ユニットは、前記マルチキャスト状態に関する情報を記憶し、
前記第２の光回線ユニットは、前記情報のうちの少なくとも一部の情報を前記第１の光回線ユニットから取得する、請求項１に記載の局側装置。
【請求項３】
前記第１の光回線ユニットまたは前記第２の光回線ユニットは、前記端末装置に、前記マルチキャスト状態に関する現在の状態を問合わせ、
前記第２の光回線ユニットは、前記第１の光回線ユニットから取得した前記情報の少なくとも一部と、前記現在の状態に関する前記端末装置からの応答との差分に基づいて、前記マルチキャスト状態を設定する、請求項２に記載の局側装置。
【請求項４】
前記第１の光回線ユニットまたは前記第２の光回線ユニットは、前記端末装置に、前記マルチキャスト状態に関する現在の状態を問合わせ、
前記第２の光回線ユニットは、前記端末装置からの前記現在の状態に関する応答に基づいて、前記マルチキャスト状態を設定する、請求項１から請求項３のいずれか１項に記載の局側装置。
【請求項５】
前記第１の光回線ユニットは、前記第１の光回線ユニットから前記第２の光回線ユニットへの前記切換に先立って、前記受動的光ネットワークの上り帯域に関する帯域割り当てを停止して、
前記第２の光回線ユニットは、前記第１の光回線ユニットから前記第２の光回線ユニットへの前記切換の後に、前記受動的光ネットワークの前記上り帯域に関する前記帯域割り当てを開始する、請求項１から請求項４のいずれか１項に記載の局側装置。
【請求項６】
局側装置と、
端末装置を収容する宅側装置と、
前記局側装置と前記宅側装置とを接続する受動的光ネットワークとを備え、
前記局側装置は、
前記受動的光ネットワークを終端するための第１の光回線ユニットと、
前記第１の光回線ユニットの冗長切換のための第２の光回線ユニットとを含み、
前記局側装置は、前記端末装置からの要求に応じたマルチキャストフレームを前記端末装置に配信するマルチキャスト状態を記憶し、
前記局側装置は、前記第１の光回線ユニットから前記第２の光回線ユニットへの前記冗長切換の場合に、前記第２の光回線ユニットを前記マルチキャスト状態に移行させるとともに、前記宅側装置が前記マルチキャストフレームを通すように前記宅側装置を設定する、ＰＯＮシステム。
【請求項７】
端末装置を収容する宅側装置と受動的光ネットワークを介して接続され、第１の光回線ユニットと第２の光回線ユニットとを備える局側装置の制御方法であって、
前記第１の光回線ユニットにおいて前記端末装置からの要求に応じたマルチキャストフレームを前記端末装置に配信するマルチキャスト状態を停止するステップと、
前記受動的光ネットワークを終端する光回線ユニットを、前記第１の光回線ユニットから前記第２の光回線ユニットと切換えるステップと、
前記第２の光回線ユニットに前記マルチキャスト状態を設定するステップと、
前記宅側装置が前記マルチキャストフレームを通すように、前記第２の光回線ユニットによって前記宅側装置を設定するステップとを備える、局側装置の制御方法。
【発明の詳細な説明】
【技術分野】
【０００１】
本発明は、局側装置、ＰＯＮ（Passive  Optical  Network）システムおよび局側装置の制御方法に関する。特に、本発明は、冗長構成を有する局側装置に関する。
【背景技術】
【０００２】
たとえば特開２０１０−１４７８０１号公報（特許文献１）は、冗長構成を有する局側装置、および、その局側装置を含むＰＯＮシステムを開示する。局側装置は、複数の運用系光回線ユニットと、少なくとも１つの予備系光回線ユニットと、光スイッチとを備える。光スイッチは、光信号が伝達される通信経路を、複数の運用系光回線ユニットの各々と、少なくとも１つの予備系光回線ユニットとの間で切換える。
【先行技術文献】
【特許文献】
【０００３】
【特許文献１】特開２０１０−１４７８０１号公報
【発明の概要】
【発明が解決しようとする課題】
【０００４】
複数の宅側装置の各々に収容された端末装置に対してマルチキャストフレームを配信するための各種の方式が提案されている。たとえば映像データの配信においてこのような方式を利用できる。
【０００５】
一方、特開２０１０−１４７８０１号公報（特許文献１）は、局側装置において冗長切換を実現するための構成および方法を開示する。しかしながら上記文献は、冗長切換が生じてもマルチキャストフレームの配信を継続して可能にするための構成あるいは方法を示していない。仮に、冗長切換によってマルチキャストフレームの配信が不可能になった場合には、マルチキャストサービスの低下につながる。
【０００６】
本発明の目的は、冗長構成を有する局側装置により、マルチキャストサービスの円滑な提供を実現するための技術を提供することである。
【課題を解決するための手段】
【０００７】
本発明のある局面に係る局側装置は、端末装置を収容する宅側装置が接続された受動的光ネットワークを終端する第１の光回線ユニットと、第２の光回線ユニットと、第２の光回線ユニットが受動的光ネットワークを終端するように第１の光回線ユニットから第２の光回線ユニットへの切換を実行する切換部とを備える。第１の光回線ユニットは、端末装置からの要求に応じたマルチキャストフレームを端末装置に配信するマルチキャスト状態を記憶しておいて、マルチキャスト状態に基づいて、宅側装置がマルチキャストフレームを通すように宅側装置を設定する。第２の光回線ユニットは、第１の光回線ユニットから第２の光回線ユニットへの切換に応じてマルチキャスト状態に移行する。
【０００８】
本発明の別の局面に係るＰＯＮシステムは、局側装置と、端末装置を収容する宅側装置と、局側装置と宅側装置とを接続する受動的光ネットワークとを備える。局側装置は、受動的光ネットワークを終端するための第１の光回線ユニットと、第１の光回線ユニットの冗長切換のための第２の光回線ユニットとを含む。局側装置は、端末装置からの要求に応じたマルチキャストフレームを端末装置に配信するマルチキャスト状態を記憶する。局側装置は、第１の光回線ユニットから第２の光回線ユニットへの冗長切換の場合に、第２の光回線ユニットをマルチキャスト状態に移行させるとともに、宅側装置がマルチキャストフレームを通すように宅側装置を設定する。
【０００９】
本発明のさらに別の局面に係る局側装置の制御方法は、端末装置を収容する宅側装置と受動的光ネットワークを介して接続され、第１の光回線ユニットと第２の光回線ユニットとを備える局側装置の制御方法である。制御方法は、受動的光ネットワークを終端する光回線ユニットを、第１の光回線ユニットから第２の光回線ユニットと切換えるステップと、第１の光回線ユニットにおいて端末装置からの要求に応じたマルチキャストフレームを端末装置に配信するマルチキャスト状態を停止するステップと、第２の光回線ユニットにマルチキャスト状態を設定するステップと、宅側装置がマルチキャストフレームを通すように、第２の光回線ユニットによって宅側装置を設定するステップとを備える。
【発明の効果】
【００１０】
本発明によれば、冗長構成を有する局側装置により、マルチキャストサービスの円滑な提供を実現することができる。
【図面の簡単な説明】
【００１１】
【図１】本発明の一実施形態に係るＰＯＮシステムの概略構成を示すブロック図である。
【図２】図１に示した光スイッチ１１ａの構成例を示す図である。
【図３】図１に示すＯＬＴ１ａに含まれる光回線ユニット（ＯＳＵ）の構成例を示すブロック図である。
【図４】本発明の一実施形態に係るＰＯＮシステムによる、マルチキャストフレームの配信方法を説明するためのシーケンス図である。
【図５】ＯＬＴ１ａに記憶される、端末装置の視聴チャネルに関する情報の例を説明した図である。
【図６】ＯＬＴ１ａに記憶される、チャネルとグループアドレスとを対応付けるテーブルの例を説明した図である。
【図７】ＯＬＴ１ａに記憶される、グループアドレスと宛先ＭＡＣアドレスとを対応付けるテーブルの例を説明した図である。
【図８】本発明の一実施形態に従う、冗長構成を有する光回線ユニットの切換および、切換先の光回線ユニットの設定を説明するためのシーケンス図である。
【図９】図８に示した光回線ユニットの切換シーケンスの途中で端末装置の状態が変更された場合に生じうる課題点を説明したシーケンス図である。
【図１０】本発明の第２の実施形態に係る光回線ユニットの切換方法を説明するためのシーケンス図である。
【図１１】切換先の光回線ユニットにおけるマルチキャスト状態の設定を説明するための図である。
【図１２】切換先の光回線ユニットによるＯＮＵの設定処理を説明するためのフローチャートである。
【図１３】本発明の第３の実施形態に係る光回線ユニットの切換方法を説明するためのシーケンス図である。
【図１４】本発明の第４の実施形態に係る光回線ユニットの切換方法を説明するためのシーケンス図である。
【図１５】本発明の第５の実施形態に係る光回線ユニットの切換方法を説明するためのシーケンス図である。
【図１６】本発明の第６の実施形態に係る光回線ユニットの１つの切換方法を説明するためのシーケンス図である。
【図１７】本発明の第６の実施形態に係る光回線ユニットの別の切換方法を説明するためのシーケンス図である。
【図１８】本発明の第６の実施形態に係る光回線ユニットのさらに別の切換方法を説明するためのシーケンス図である。
【発明を実施するための形態】
【００１２】
［本願発明の実施形態の説明］
最初に本発明の実施形態を列記して説明する。
【００１３】
（１）本発明の一実施形態に係る局側装置は、端末装置を収容する宅側装置が接続された受動的光ネットワークを終端する第１の光回線ユニットと、第２の光回線ユニットと、第２の光回線ユニットが受動的光ネットワークを終端するように第１の光回線ユニットから前記第２の光回線ユニットへの切換を実行する切換部とを備える。第１の光回線ユニットは、端末装置からの要求に応じたマルチキャストフレームを端末装置に配信するマルチキャスト状態を記憶しておいて、マルチキャスト状態に基づいて、宅側装置がマルチキャストフレームを通すように宅側装置を設定する。第２の光回線ユニットは、第１の光回線ユニットから第２の光回線ユニットへの切換に応じてマルチキャスト状態に移行する。
【００１４】
この構成によれば、冗長構成を有する局側装置により、マルチキャストサービスの円滑な提供を実現することができる。局側装置は、切換部により、受動的光ネットワークを終端する回線ユニットを第１の光回線ユニットから第２の光回線ユニットへと切換えることができる。すなわち局側装置は、冗長構成を有する。切換前には第１の光回線ユニットはマルチキャスト状態にある。したがって端末装置には、第１の光回線ユニットからマルチキャストフレームが送信される。第１の光回線ユニットから第２の光回線ユニットへの切換により、第２の光回線ユニットがマルチキャスト状態に移行する。したがって、局側装置では、マルチキャスト状態を継続させることができる。これにより端末装置は、マルチキャストフレームの受信を継続することができるため、マルチキャストサービスの円滑な提供を実現することができる。
【００１５】
「第１の光回線ユニットから第２の光回線ユニットへの切換に応じて」との記載は、第２の光回線ユニットがマルチキャスト状態に移行するための原因あるいは、きっかけを説明するものである。したがって、上記記載は特定のタイミングを限定するものではない。第２の光回線ユニットがマルチキャスト状態に移行するタイミングは、以下の３つのタイミングのいずれでよい。第１のタイミングは、第１の光回線ユニットから第２の光回線ユニットへの切換が予測されるタイミングである。第２のタイミングは、第１の光回線ユニットから第２の光回線ユニットへの切換中のタイミングである。第３のタイミングは、第１の光回線ユニットから第２の光回線ユニットへの切換の後のタイミングである。
【００１６】
第２の光回線ユニットのマルチキャスト状態への移行を制御するための構成は特に限定されない。たとえば第２の光回線ユニット自身がその制御を実行してもよい。また、第１の光回線ユニットが第２の光回線ユニットをマルチキャスト状態へと移行させてもよい。あるいは、第１の光回線ユニットおよび第２の光回線ユニットとは別に、第２の光回線ユニットをマルチキャスト状態へと移行させるための制御回路を、局側装置の内部あるいは局側装置の外部に設けてもよい。
【００１７】
第１の光回線ユニットがマルチキャスト状態を記憶するための方法は特に限定されるものではない。たとえば、第１の光回線ユニットに関する情報、パラメータを記憶しておいてもよい。あるいは、第１の光回線ユニットがマルチキャスト状態に一旦設定されると、第１の光回線ユニットがその状態を継続するのでもよい。
【００１８】
第２の光回線ユニットのマルチキャスト状態は、第１の光回線ユニットのマルチキャスト状態と同一であるように限定されるものではない。たとえば第２の光回線ユニットのマルチキャスト状態は、端末装置側の変更に応じて、第１の光回線ユニットのマルチキャスト状態から更新された状態であってもよい。
【００１９】
（２）好ましくは、第１の光回線ユニットは、マルチキャスト状態に関する情報を記憶する。第２の光回線ユニットは、前記情報のうちの少なくとも一部の情報を第１の光回線ユニットから取得する。
【００２０】
この構成によれば、第２の光回線ユニットは、第１の光回線ユニットのマルチキャスト状態を引き継ぐことができる。したがって、第１の光回線ユニットから第２の光回線ユニットへの切換後においても、局側装置では、マルチキャスト状態を継続させることができる。これによりマルチキャストフレームの円滑な提供を実現することができる。
【００２１】
なお、第２の光回線ユニットは、マルチキャスト状態に関する情報の少なくとも一部の情報を第１の光回線ユニットから取得する。したがって、第２の光回線ユニットは、マルチキャスト状態に関するすべての情報を第１の光回線ユニットから取得してもよい。この場合には、第２の光回線ユニットは、第１の光回線ユニットと同一のマルチキャスト状態を実現することができる。
【００２２】
第２の光回線ユニットが第１の光回線ユニットから情報を取得するための方法は特に限定されない。たとえば第１の光回線ユニットが第２の光回線ユニットに対して情報を送信してもよい。あるいは第２の光回線ユニットが第１の光回線ユニットにアクセスして第１の光回線ユニットに記憶される情報を読み出してもよい。あるいは第１または第２の光回線ユニットが、第１の光回線ユニットの保持する情報を複製し、その複製された情報を第２の光回線ユニットが取得してもよい。
【００２３】
（３）好ましくは、第１の光回線ユニットまたは第２の光回線ユニットは、端末装置に、マルチキャスト状態に関する現在の状態を問合わせる。第２の光回線ユニットは、第１の光回線ユニットから取得した情報の少なくとも一部と、現在の状態に関する端末装置からの応答との差分に基づいて、マルチキャスト状態を設定する。
【００２４】
この構成によれば、端末装置の状態の変更を第２の光回線ユニットのマルチキャスト状態に反映させることができる。たとえば、第１の光回線ユニットから第２の光回線ユニットへの切換の間に、端末装置の状態が変更される可能性がある（たとえば視聴チャネルの切換など）。したがって、第２の光回線ユニットが第１の光回線ユニットのマルチキャスト状態を引き継いだ場合に、第２の光回線ユニットのマルチキャスト状態が端末装置の現在の状態と整合しない可能性が生じうる。このような場合には、端末装置がマルチキャストフレーム（たとえば映像データ）を受信できない可能性がある。上記構成によれば、第２の光回線ユニットのマルチキャスト状態を端末装置の現在の状態と整合させることができる。
【００２５】
（４）好ましくは、第１の光回線ユニットまたは第２の光回線ユニットは、端末装置に、マルチキャスト状態に関する現在の状態を問合わせる。第２の光回線ユニットは、端末装置からの現在の状態に関する応答に基づいて、マルチキャスト状態を設定する。
【００２６】
この構成によれば、端末装置の状態の変更を第２の光回線ユニットのマルチキャスト状態に反映させることができる。したがって第２の光回線ユニットのマルチキャスト状態を端末装置の現在の状態と整合させることができる。
【００２７】
上記構成によれば、第１の光回線ユニットからマルチキャストに関する情報を取得するように限定されない。第２の光回線ユニットは、端末装置からの現在の状態に関する応答のみに基づいて、マルチキャスト状態を設定してもよい。あるいは、第２の光回線ユニットは、第１の光回線ユニットから取得した情報と、現在の状態に関する端末装置からの応答との差分に基づいて、マルチキャスト状態を一旦設定し、その後、端末装置に、現在の状態を再度問合わせてもよい。第２の光回線ユニットは、その問合わせに対する端末装置からの回答に基づいてマルチキャスト状態を再設定してもよい。
【００２８】
（５）好ましくは、第１の光回線ユニットは、第１の光回線ユニットから第２の光回線ユニットへの切換に先立って、受動的光ネットワークの上り帯域に関する帯域割り当てを停止する。第２の光回線ユニットは、第１の光回線ユニットから第２の光回線ユニットへの切換の後に、受動的光ネットワークの上り帯域に関する動的帯域割り当てを再開する。
【００２９】
この構成によれば、第１の光回線ユニットから第２の光回線ユニットへの切換中に端末装置の状態が変更された場合に、端末装置の状態の変更が第２の光回線ユニットのマルチキャスト状態に反映されない可能性を小さくすることができる。端末装置が、端末装置の現在の状態を局側装置に送信した場合、第１の光回線ユニットが端末装置からの情報を受信する可能性がある。第１の光回線ユニットから第２の光回線ユニットへの切換によって、端末装置からの情報が第２の光回線ユニットのマルチキャスト状態に反映されない可能性が考えられる。第１の光回線ユニットから第２の光回線ユニットへの切換の間には、受動的光ネットワークの上り帯域の割当てが停止される。このため、端末装置からの情報は宅側装置に一旦蓄積されて、上り帯域の割当ての再開後に局側装置に送られる。したがって、端末装置からの情報を第２の光回線ユニットに届けることができる。これにより、端末装置の状態の変更を第２の光回線ユニットのマルチキャスト状態に反映させることができる。
【００３０】
（６）本発明の一実施形態に係るＰＯＮシステムは、局側装置と、端末装置を収容する宅側装置と、局側装置と宅側装置とを接続する受動的光ネットワークとを備える。局側装置は、受動的光ネットワークを終端するための第１の光回線ユニットと、第１の光回線ユニットの冗長切換のための第２の光回線ユニットとを含む。局側装置は、端末装置からの要求に応じたマルチキャストフレームを端末装置に配信するマルチキャスト状態を記憶する。局側装置は、第１の光回線ユニットから第２の光回線ユニットへの冗長切換の場合に、第２の光回線ユニットをマルチキャスト状態に移行させるとともに、宅側装置がマルチキャストフレームを通すように宅側装置を設定する。
【００３１】
この実施形態によれば、冗長構成を有する局側装置により、マルチキャストサービスの円滑な提供を実現することができる。
【００３２】
（７）本発明の一実施形態に係る局側装置の制御方法は、端末装置を収容する宅側装置と受動的光ネットワークを介して接続され、第１の光回線ユニットと第２の光回線ユニットとを備える局側装置の制御方法である。制御方法は、第１の光回線ユニットにおいて端末装置からの要求に応じたマルチキャストフレームを端末装置に配信するマルチキャスト状態を停止するステップと、受動的光ネットワークを終端する光回線ユニットを、第１の光回線ユニットから第２の光回線ユニットと切換えるステップと、第２の光回線ユニットにマルチキャスト状態を設定するステップと、宅側装置がマルチキャストフレームを通すように、第２の光回線ユニットによって宅側装置を設定するステップとを備える。
【００３３】
この実施形態によれば、冗長構成を有する局側装置により、マルチキャストサービスの円滑な提供を実現することができる。
［本願発明の実施形態の詳細］
以下、図面を参照しつつ、本発明の実施の形態について説明する。以下の説明では、同一または対応する要素には同一の符号を付して、それらについての詳細な説明は繰り返さない。
【００３４】
＜第１の実施形態＞
図１は、本発明の一実施形態に係るＰＯＮシステムの概略構成を示すブロック図である。図１を参照して、ＰＯＮシステム３０１は、イーサネット（登録商標）ベースのＰＯＮ（ＥＰＯＮ）として実現される。ＰＯＮシステム３０１は、局側装置（ＯＬＴ）１ａと、光ファイバであるＮ本のＰＯＮ回線１〜Ｎ（３−１〜３−Ｎ）と、Ｎ個の光カプラ４−１〜４−Ｎと、複数の宅側装置（ＯＮＵ）２と、ＯＮＵ２に接続される端末装置５とを備える。なお、Ｎは１以上の整数である（以下も同様）。
【００３５】
ＯＬＴ１ａは、Ｎ本のＰＯＮ回線１〜Ｎに接続されて、このＮ本のＰＯＮ回線を終端する。ＰＯＮ回線（受動的光ネットワーク）１〜Ｎは、光カプラ４−１〜４−Ｎにそれぞれ接続されている。各ＰＯＮ回線は、対応の光カプラを介して複数のＯＮＵ２に接続されている。
【００３６】
各ＯＮＵ２には、少なくとも１つの端末装置５が接続される。すなわち各ＯＮＵ２は、端末装置５を収容する。なお、たとえばハブ（ＨＵＢ）を介して、複数の端末装置５を１つのＯＮＵ２に接続することも可能である。
【００３７】
この実施の形態において、複数のＯＮＵ２の中には、映像を視聴可能な端末装置５が接続された、少なくとも１つのＯＮＵ２が含まれる。当該端末装置５は、視聴チャネルを選択する（切換える）ことができる。このような端末装置５の種類は特に限定されるものではない。
【００３８】
ＯＬＴ１ａは、上位ネットワーク６に接続される。上位ネットワーク６は、ルータ７および映像配信サーバ８を含む。ＯＬＴ１ａは、マルチキャスト通信を用いて、映像配信サーバ８からの映像データを、その映像の視聴を要求する少なくとも１つの端末装置５に配信する。映像データは、マルチキャストフレームの形態で端末装置５に配信される。
【００３９】
ルータ７は、映像配信サーバ８からマルチキャストフレームを受信すると、そのマルチキャストフレームをＯＬＴ１ａに送信する。ルータ７は、必要に応じてマルチキャストフレームを複製してもよい。ＯＬＴ１ａは、上位ネットワーク６からのマルチキャストフレームをＰＯＮ回線３−１〜３−Ｎに送信する。各ＰＯＮ回線に設けられた光カプラはＯＬＴ１ａからの下り光信号を分割する。したがって光カプラにおいて、マルチキャストフレームの複数のコピーが作成されて、複数のマルチキャストフレームの各々が対応のＯＮＵのポートに送られる。各ＯＮＵ２におけるマルチキャストフレームの処理については後に詳細に説明する。
【００４０】
次にＯＬＴ１ａの構成について説明する。ＯＬＴ１ａは、光スイッチ１１ａと、光回線ユニット（ＯＳＵ）１〜Ｎ＋１（１２−１〜１２−Ｎ＋１）と、集線部１３ａと、制御部１４とを含む。
【００４１】
ＯＬＴ１ａは、Ｎ：１の冗長構成を有している。すなわち、Ｎ＋１個のＯＳＵ１２のうち、ＯＳＵ１〜Ｎが運用系（現用）ＯＳＵであり、ＯＳＵ  Ｎ＋１が待機系（予備）ＯＳＵである。ＯＳＵ１〜Ｎの各々は、対応のＰＯＮ回線を終端する。ＯＳＵ  Ｎ＋１は、ＯＳＵ１〜Ｎの各々と代替可能なように構成されている。たとえばＯＳＵ１〜Ｎ＋１は、互いに同一の構成を備えている。なお、ＯＬＴ１ａは、２個以上の待機系ＯＳＵを含んでいてもよい。
【００４２】
光スイッチ１１ａは、制御部１４からの指示に従い、Ｎ＋１個のＯＳＵ１〜Ｎ＋１（１２−１〜１２−Ｎ＋１）と、Ｎ本のＰＯＮ回線１〜Ｎ（３−１〜３−Ｎ）との間の通信経路を切換える。より具体的には、ある運用系ＯＳＵ（たとえ  ＯＳＵ  １）が終端していたＰＯＮ回線（たとえばＰＯＮ回線１）をＯＳＵ  Ｎ＋１が終端するように、光スイッチ１１ａは、その運用系ＯＳＵから待機系ＯＳＵへの切換を実行する。
【００４３】
なお、光スイッチ１１ａは、運用系ＯＳＵから待機系ＯＳＵへの切換のみを実行するように限定されるものではない。光スイッチ１１ａは、さらに、待機系ＯＳＵから運用系ＯＳＵへの切換を実行してもよい。たとえば、ある運用系ＯＳＵに故障が生じた場合には、光スイッチ１１ａによって、その運用系ＯＳＵから待機系ＯＳＵへの切換が実行される。故障した運用系ＯＳＵが新品のＯＳＵに交換される。この場合には、光スイッチ１１ａによって、待機系ＯＳＵから、新しい運用系ＯＳＵへと切換えることができる。
【００４４】
集線部１３ａは、たとえば、上位ネットワークから受信したマルチキャストフレームを適切なＯＳＵに振り分ける。制御部１４は、ＯＬＴ１ａの全体を制御する。
【００４５】
以上のように、この実施の形態では、２つのＯＳＵの間で切換を実現することができる。切換元のＯＳＵ、すなわち第１のＯＳＵは、端末装置５からの要求に応じたマルチキャストフレームを端末装置５に配信するマルチキャスト状態を記憶する。さらに第１のＯＳＵは、ＯＮＵ２がマルチキャストフレームを通すようにＯＮＵ２を設定する。一方、切換先のＯＳＵ、すなわち第２のＯＳＵは、第１のＯＳＵから第２のＯＳＵへの切換に応じてマルチキャスト状態に移行する。これにより、冗長構成を有する局側装置において、マルチキャストサービスの円滑な提供を実現することができる。
【００４６】
図２は、図１に示した光スイッチ１１ａの構成例を示す図である。図２を参照して、ＰＯＮ側のＮ本の光ファイバと、ＯＳＵ側のＮ本の光ファイバとが対向して配置されている。以下、これらのＮ組の光ファイバを、運用系光ファイバとも呼ぶ。
【００４７】
ＯＳＵ側の各光ファイバの端面近くにコリメートレンズ２３−１〜２３−Ｎが配置される。ＰＯＮ回線側の各光ファイバの端面近くにコリメートレンズ２４−１〜２４−Ｎが配置されている。通常状態では対向している光ファイバ間で光空間伝送が行なわれる。Ｎ組の運用系光ファイバの光軸は、同一平面上で平行となるように配置される。
【００４８】
可動ミラー２２は、アクチュエータ２１によって駆動されて、Ｎ本の光ファイバ３−１〜３−Ｎの光軸と直交する軸上を移動する。可動ミラー２２は、運用系光ファイバの光軸と可動ミラー２２の移動軸との交点、および待機系光ファイバの端面付近のうちのいずれかに位置する。アクチュエータ２１は、制御部１４からの制御信号に従い、可動ミラー２２を上記の位置のいずれかに移動させる。制御部１４からの制御信号は、ＯＳＵ冗長切換えの有無および待機系ＯＳＵと接続するＰＯＮ回線の番号を示す。アクチュエータ２１はこの制御信号に基づいて可動ミラー２２を移動させる。
【００４９】
可動ミラー２２は、運用系光ファイバの光軸に対して４５°だけ傾いており、ＰＯＮ回線側の光ファイバからの光線を、可動ミラー２２の移動軸方向に反射する。可動ミラー２２で反射された光線は、コリメートレンズ２３−Ｎ＋１を介して予備系光ファイバ３−Ｎ＋１に入射される。
【００５０】
予備系光ファイバ３−Ｎ＋１からの光線は可動ミラー２２で反射されて、可動ミラー２２の位置に対応するＰＯＮ回線側の光ファイバに入射される。したがって、可動ミラー２２の位置に対応するＰＯＮ回線側の光ファイバと、予備系光ファイバ３−Ｎ＋１との間で光空間伝送を行なうことができる。
【００５１】
可動ミラー２２が移動する際には、たとえば可動ミラー２２はｚ方向（図２において紙面の表から裏への方向）に一旦移動し、次にｘ方向に移動する。このような移動によって、切換えに無関係な光ファイバ対間の光空間伝送に影響が生じないようにすることができる。
【００５２】
図３は、図１に示すＯＬＴ１ａに含まれる光回線ユニット（ＯＳＵ）の構成例を示すブロック図である。図３を参照して、ＯＳＵ１２は、集線ＩＦ（Interface）部３１と、制御ＩＦ部３２と、受信処理部３３と、送信処理部３４と、ＰＯＮ送受信部３５と、ローカル制御部３６と、上りフレームを蓄積するＦＩＦＯ１（３７）と、下りフレームを蓄積するＦＩＦＯ２（３８）とを含む。
【００５３】
ＰＯＮ送受信部３５は、光スイッチ１１ａと１本の光ファイバで接続されて、この光ファイバ上で双方向通信を行なう。ＰＯＮ送受信部３５は、特定の波長、たとえば１３１０ｎｍ帯の上り光信号を光ファイバから受信する。ＰＯＮ送受信部３５は、その光信号を電気信号に変換して、受信処理部３３にその電気信号を出力する。一方、ＰＯＮ送受信部３５は、送信処理部３４から出力された電気信号を別波長、たとえば１４９０ｎｍ帯の下り光信号に変換する。ＰＯＮ送受信部３５は、その光信号を光ファイバに送信する。
【００５４】
受信処理部３３は、ＰＯＮ送受信部３５から受けた電気信号からフレームを再構成するとともに、フレームの種別に応じて制御ＩＦ部３２、ローカル制御部３６またはＦＩＦＯ１（３７）にフレームを振り分ける。たとえば受信処理部３３は、ユーザフレームをＦＩＦＯ１（３７）に出力し、ループバック試験などの特殊な制御フレームをローカル制御部３６に出力し、その他一般の制御フレームを制御ＩＦ部３２に出力する。
【００５５】
集線ＩＦ部３１は、ＦＩＦＯ１（３７）に蓄積された上りフレームを集線部１３ａに送るとともに、集線部１３ａから受けた下りフレームをＦＩＦＯ２（３８）に蓄積する。このとき、集線ＩＦ部３１は、集線部１３ａの信号形式と内部信号形式との変換を行なう。
【００５６】
ＦＩＦＯ２（３８）、制御ＩＦ部３２またはローカル制御部３６が送信すべきフレーム／メッセージを有する場合、送信処理部３４は、優先順位に従ってそのフレーム／メッセージを受け取り、フレームを組み立ててＰＯＮ送受信部３５に出力する。
【００５７】
制御ＩＦ部３２は、受信処理部３３から受けた制御メッセージを制御部１４に出力するとともに、制御部１４から受けた制御メッセージを送信処理部３４に出力する。このとき、制御ＩＦ部３２は、制御部１４の信号形式と内部信号形式との変換を行なう。
【００５８】
上記構成によれば、ＯＳＵ１２をマルチキャスト状態に設定するための設定部を、たとえば、制御ＩＦ部３２およびローカル制御部３６の少なくとも１つによって実現することができる。また、ＯＳＵ１２をマルチキャスト状態に設定するために必要な情報を、たとえば、制御ＩＦ部３２およびローカル制御部３６の少なくとも１つに記憶させることができる。
【００５９】
また、切換先のＯＳＵ（すなわち第２のＯＳＵ）をマルチキャスト状態に設定するための設定部は、そのＯＳＵの内部にあるように限定されるものではない。たとえば、切換元のＯＳＵ（すなわち第１のＯＳＵ）の設定部（たとえば、制御ＩＦ部３２およびローカル制御部３６）が切換先のＯＳＵをマルチキャスト状態に設定してもよい。また、ＯＳＵ１２をマルチキャスト状態に設定するための設定部は、たとえば図１に示す制御部１４によって実現されてもよい。あるいはＯＳＵ１２をマルチキャスト状態に設定するための設定部は、たとえばＯＬＴ１ａの外部に設けられてもよい。
【００６０】
なお、他の実施形態においても、図１〜図３に示された構成を採用することができる。したがって、以下に説明する実施の形態においては、ＯＬＴおよびＰＯＮシステムの構成について説明を繰り返さない。
【００６１】
図４は、本発明の一実施形態に係るＰＯＮシステムによる、マルチキャストフレームの配信方法を説明するためのシーケンス図である。図４を参照して、上位ネットワーク６（映像配信サーバ８およびルータ７）からＯＬＴ１ａに、ある視聴チャネルのコンテンツがマルチキャストフレームの形態で送信される。ＯＬＴ１ａは、マルチキャストフレームにブロードキャストＬＬＩＤ（Logical  Link  ID）を付与して、当該マルチキャストフレームをＰＯＮ回線へ転送する。マルチキャストフレームにブロードキャストＬＬＩＤが付されているので、そのマルチキャストフレームはすべてのＯＮＵ２へと送られる（Ｓ１０１）。
【００６２】
ＯＮＵ２の配下の端末装置５が当該チャンネルを視聴していない場合は、当該ＯＮＵ２がそのマルチキャストフレームを通さないように、ＯＬＴ１ａによって、そのＭＡＣ（Media  Access  Control）アドレスフィルタが設定されている。したがって、当該マルチキャストフレームはＯＮＵ２の受信端において廃棄される。
【００６３】
端末装置５は、マルチキャストフレームの視聴要求を表すメッセージ（Ｒｅｐｏｒｔ）をＯＮＵ２に送信する。Ｒｅｐｏｒｔメッセージの送信プロトコルは、たとえばＩＰｖ４（Internet  Protocol  version  4）の場合はＩＧＭＰ（Internet  Group  Management  Protocol）であり、ＩＰｖ６（Internet  Protocol  version  6）の場合はＭＬＤ（Multicast  Listener  Discovery）である。
【００６４】
ＯＮＵ２は、端末装置５からＲｅｐｏｒｔメッセージを受信すると、そのＲｅｐｏｒｔメッセージに自己のＬＬＩＤを付与する。ＯＮＵ２は、そのＲｅｐｏｒｔメッセージをＯＬＴ１ａに転送する（Ｓ１０２）。
【００６５】
Ｒｅｐｏｒｔメッセージは、グループアドレスを含む。このグループアドレスは、映像配信サーバ８が提供するコンテンツの識別に用いられるものであり、視聴チャネルに相当する。
【００６６】
ＯＬＴ１ａの内部において、Ｒｅｐｏｒｔメッセージは、ＯＮＵ２に接続されたＰＯＮ回線を終端する光回線ユニットに送られる。光回線ユニットは、各ＯＮＵの配下の端末装置において視聴されるチャネルの情報、チャネルとグループアドレスとを対応付けるテーブル、および、グループアドレスと宛先ＭＡＣアドレスとを対応付けるテーブルを記憶する。上記のように、これらの情報を、たとえば図３に示す制御ＩＦ部３２あるいはローカル制御部３６に記憶することができる。
【００６７】
図５は、ＯＬＴ１ａに記憶される、端末装置の視聴チャネルに関する情報の例を説明した図である。図５を参照して、＃１，＃２は、各ＯＮＵを識別するための識別子であり、たとえばＬＬＩＤである。ただしＬＬＩＤそのものを識別子として用いるよう限定されず、＃１，＃２は、ＬＬＩＤと対応付けられた識別子でもよい。この識別子をキーにして、ＯＮＵの配下の端末装置が、各チャネル（ＣＨＸ，ＣＨＹ，・・・）を視聴するかどうかがＯＬＴ１ａ（光回線ユニット）で管理されている。ＣＨＸ，ＣＨＹ，・・・は、それぞれチャネルＸ，Ｙ，・・・を表す。
【００６８】
図６は、ＯＬＴ１ａに記憶される、チャネルとグループアドレスとを対応付けるテーブルの例を説明した図である。図６を参照して、チャネル（ＣＨＸ，ＣＨＹ，・・・）とグループアドレス（ＧＸ，ＧＹ，・・・）とは一意に対応付けられている。
【００６９】
図７は、ＯＬＴ１ａに記憶される、グループアドレスと宛先ＭＡＣアドレスとを対応付けるテーブルの例を説明した図である。図７を参照して、＃１，＃２は、ＯＮＵ２の識別子である（図５と同様）。この識別子をキーにして、マルチキャストのグループアドレス（ＧＸ，ＧＹ，・・・）と、そのグループアドレスに対応付けられた宛先ＭＡＣアドレスがＯＬＴ１ａ（光回線ユニット）で管理されている。
【００７０】
図４に戻り、ＯＬＴ１ａにおいて、光回線ユニットは、Ｒｅｐｏｒｔメッセージに含まれるグループアドレスとＬＬＩＤとを読み取る。さらに光回線ユニットは、そのＬＬＩＤおよびグループアドレスと、図６に示すテーブルとを用いて、図５に示すテーブルを更新する。たとえば、識別子＃１に対応するＯＮＵ２においてチャネルＸ（ＣＨＸ）が視聴されるようにテーブルが更新される。光回線ユニットは、ＬＬＩＤおよびグループアドレスと、図７に示すテーブルとを用いて、宛先ＭＡＣアドレスを導出する。このようにして光回線ユニットのマルチキャスト状態が設定されるとともに、そのマルチキャスト状態が光回線ユニットに記憶される。
【００７１】
光回線ユニットは、さらに、ＬＬＩＤによって特定されたＯＮＵ２に対して、ＭＡＣフィルタの設定を行なう。具体的には、光回線ユニットは、導出された宛先ＭＡＣアドレスが付与されたマルチキャストフレームを通すように、そのＯＮＵ２に通知する。この通知には、たとえば拡張ＯＡＭ（Operation,  Administration,  and  Maintenance）フレームを用いることができる（Ｓ１０３）。光回線ユニットからのＯＮＵ２への通知は、光回線ユニットによるＯＮＵ２の設定に相当する。
【００７２】
ＯＮＵ２は、ＯＬＴ１ａ（光回線ユニット）からの通知（たとえば拡張ＯＡＭフレーム）を受信して、その通知によって指定された宛先ＭＡＣアドレスが付与されたマルチキャストフレームを通すように、フィルタリング機能を設定する。フィルタリング機能の設定後、ＯＮＵ２は、フィルタリング機能の設定が完了したことをＯＬＴ１ａに通知する（Ｓ１０４）。
【００７３】
以後、ＯＬＴ１ａは、上位ネットワーク６からマルチキャストフレームを受信すると、ブロードキャストＬＬＩＤをマルチキャストフレームに付与して、各ＯＮＵ２に、そのマルチキャストフレームを送信する。そのマルチキャストフレームが、ＯＮＵ２に予め設定された宛先ＭＡＣアドレスと関連付けられたデータである場合には、各ＯＮＵ２は、フィルタリング機能により、そのマルチキャストフレームを端末装置に転送する（Ｓ１０５）。
【００７４】
この方式によれば、マルチキャストフレームにブロードキャストＬＬＩＤが付与されているため、すべてのＯＮＵにマルチキャストフレームが送られる。当該データを必要なＯＮＵのみがそのデータを下位ネットワークに送信する。この方式によれば、受信が必要なＯＮＵの数だけデータを複製する方式に比べて、ＰＯＮ回線における帯域を効率化することができる。
【００７５】
さらに、マルチキャスト用の制御フレームの処理という、負荷の比較的高い処理がＯＬＴ１ａで一括して実行される。したがって、ＯＮＵ２に含まれるＬＳＩ（Large  Scale  Integrated  circuit）あるいはＣＰＵ（Central  Processing  Unit）に、より高い性能を要求しなくてもよい。これにより、たとえばより集積度の低いＬＳＩあるいはＣＰＵをＯＮＵ２に用いることができるので、ＯＮＵ２のコストの点でのメリットをもたらしうる。
【００７６】
図４に示された方式では、ＯＬＴ１ａは、端末装置５からのＲｅｐｏｒｔメッセージ（視聴要求）によって、その端末装置５が選択する視聴チャネルを認識する。さらにＯＬＴ１ａは、ＯＮＵ２に対して、端末装置５の視聴要求に応じたＭＡＣアドレスフィルタリング機能を設定する。したがって、端末装置５において、要求したチャネルの映像を視聴するためには、ＯＬＴ１ａが認識する、端末装置５の状態（チャネルの選択）と、その端末装置５に接続されたＯＮＵ２の状態（宛先ＭＡＣアドレスの設定）とが一致していることが必要である。
【００７７】
この実施の形態によれば、ＯＬＴ１ａは、冗長構成を有する。たとえば運用系の光回線ユニットの故障あるいはメンテナンスなどの理由によって、当該運用系光回線ユニットを停止させなければならない場合、当該運用系光回線ユニットから予備系光回線ユニットへと切換られる。これにより、その運用系ＯＳＵが停止した後も、ＯＬＴ１ａとＯＮＵ２との間の通信を継続することができる。
【００７８】
上記のような冗長切換の場合に、この実施の形態では、切換先の光回線ユニットがマルチキャスト状態へと移行する。具体的には切換先の光回線ユニットの設定によって、切換先の光回線ユニットがマルチキャスト状態へと移行する。これにより光回線ユニットの切換の前後において、マルチキャストフレームの送信を継続することができる。
【００７９】
一実施形態では、切換先の光回線ユニットに対して、マルチキャスト状態を設定するために、切換元の光回線ユニットの情報が切換先の光回線ユニットに引き継がれる。切換元の光回線ユニットの情報を切換先の光回線ユニットに引き継ぐために、ある時点において、切換先の光回線ユニットの状態を切換元の光回線ユニットの状態（マルチキャスト状態）に同期させる。このために、一実施形態では、切換元の光回線ユニットの処理（マルチキャストに関する処理）を一旦停止させる。その後に、切換先の光回線ユニットが、切換元の光回線ユニットの記憶する情報の少なくとも一部を、切換元の光回線ユニットから取得する。なお、切換先の光回線ユニットは、マルチキャスト状態に関するすべての情報を切換元の光回線ユニットから取得してもよい。
【００８０】
図８は、本発明の一実施形態に従う、冗長構成を有する光回線ユニットの切換および、切換先の光回線ユニットの設定を説明するためのシーケンス図である。図８を参照して、まず切換先の光回線ユニット（光回線ユニット（１））がマルチキャスト処理を含むＰＯＮ回線のネットワーク運用を行なっている。光回線ユニット（１）は、第１の光回線ユニットを示し、たとえば運用系ＯＳＵである。
【００８１】
次に、ステップＳ１において、光回線ユニット（１）は、マルチキャスト制御処理を停止する。したがって光回線ユニット（１）は、マルチキャスト制御に関する状態の更新を停止する。言い換えると光回線ユニット（１）は、マルチキャスト状態を停止する。
【００８２】
続いて、ステップＳ２において、光回線ユニット（１）は、マルチキャスト制御に関する最後の状態および設定パラメータなどの情報を、光回線ユニット（２）に送信する。たとえば図５〜図７に示されるテーブルが光回線ユニット（１）から光回線ユニット（２）に送信される。基本的には、光回線ユニット（１）のマルチキャスト状態に関するすべての情報が、光回線ユニット（２）へと送信される。光回線ユニット（２）は、第２の光回線ユニットを示し、たとえば予備系ＯＳＵである。
【００８３】
光回線ユニット（１）から光回線ユニット（２）への情報の送信は、第２の光回線ユニットが、マルチキャスト状態に関するすべての情報を第１の光回線ユニットから取得することに相当する。光回線ユニット（１）の情報を取得する方法は特に限定されない。たとえば光回線ユニット（２）は、光回線ユニット（１）にアクセスして光回線ユニット（１）に記憶される情報を読み出してもよい。あるいは、光回線ユニット（１）または光回線ユニット（２）が、光回線ユニット（１）の保持する情報を複製し、その複製された情報を光回線ユニット（２）が取得してもよい。
【００８４】
ステップＳ３において、光回線ユニット（２）は、起動を開始するための準備（情報および／または状態の反映）を行なう。この処理は、光回線ユニット（２）のマルチキャスト状態の設定に対応する。したがって、マルチキャスト制御処理に関して、光回線ユニット（２）の状態は、光回線ユニット（１）の最後の状態に一致する。言い換えると、光回線ユニット（２）の状態は、光回線ユニット（１）の状態と同期する。
【００８５】
ステップＳ４において、光スイッチ１１ａ（図１を参照）により、ＰＯＮ回線を終端すべき光回線ユニットが、光回線ユニット（１）から光回線ユニット（２）へと切り換えられる。次に、光回線ユニット（２）がＰＯＮ回線の運用を開始する。以後、光回線ユニット（２）は、光回線ユニット（１）によるマルチキャスト制御処理と同じ処理を実行する。すなわち光回線ユニット（２）の状態は、マルチキャスト状態へと移行する。その後、光回線ユニット（２）は、光回線ユニット（１）と同様に、端末装置５において要求が発生した場合には、その要求に応じて、上述したチャネルの変更等の処理を実行する。
【００８６】
図８に示す実施形態では、ステップＳ１の処理が開始されてからステップＳ４の処理が終わるまでの間には、端末装置５においてチャネルは変更されない。光回線ユニット（２）は、光回線ユニット（１）の状態を引き継ぐことで光回線ユニット（２）のマルチキャスト制御処理を継続することができる。
【００８７】
以上のように、第１の実施形態によれば、光回線ユニット（２）は、光回線ユニット（１）から光回線ユニット（２）への切換に応じてマルチキャスト状態に移行する。これにより冗長構成を有する局側装置において、マルチキャストサービスの円滑な提供を実現することができる。
【００８８】
＜第２の実施形態＞
図８に示されるように、光回線ユニット（１）がマルチキャスト制御処理を停止してから、光回線ユニット（１）と光回線ユニット（２）との間でのマルチキャストの運用切換が完了するまでには、ある程度の時間が必要である。したがって、光回線ユニット（１）から光回線ユニット（２）への切換中に端末装置の状態が変更される可能性が考えられる。
【００８９】
図９は、図８に示した光回線ユニットの切換シーケンスの途中で端末装置の状態が変更された場合に生じうる課題点を説明したシーケンス図である。図９を参照して、ステップＳ１〜Ｓ４の処理は、図８に示したステップＳ１〜Ｓ４の処理と同様であるので以後の説明は繰り返さない。ステップＳ２の処理、すなわち、光回線ユニット（１）と光回線ユニット（２）との間で状態を同期した後に、端末装置５が視聴チャンネルをＸからＹに変更する（ステップＳ５）。
【００９０】
この場合、端末装置５からＯＮＵ２を介して、チャネルの変更を示すＲｅｐｏｒｔメッセージがＯＬＴ１ａに送信される。運用切換前にＲｅｐｏｒｔメッセージが端末装置５から送られるため、光回線ユニット（１）がＲｅｐｏｒｔメッセージを受ける。しかしながら、光回線ユニット（１）はマルチキャスト制御処理を既に停止しているため、光回線ユニット（１）はＲｅｐｏｒｔメッセージを処理しない。
【００９１】
このため、光回線ユニット（２）の状態を光回線ユニット（１）の状態に同期させた時点での端末装置５の状態が、光回線ユニット（２）に認識されている。すなわち、光回線ユニット（２）は、端末装置５がチャネルＸを選択しているという状態を認識している。
【００９２】
しかしながら光回線ユニット（２）が認識する端末装置５の状態は、端末装置５の実際の状態と異なる。したがって、チャネルＹの映像データ（マルチキャストフレーム）がＯＮＵ２でブロックされる（Ｓ６）。
【００９３】
端末装置５におけるチャネルの切換えと、ＯＬＴ１ａにおける光回線ユニットの切換とは、互いに独立した事象である。このため図９に示されるように、両方の事象が同じタイミングで発生することが起こり得る。一方で、映像配信サービス（マルチキャストサービス）の提供の点では、端末装置５から視聴要求が発生した場合には、端末装置５において適切なタイミングで映像が切換わることが望ましい。
【００９４】
図１０は、本発明の第２の実施形態に係る光回線ユニットの切換方法を説明するためのシーケンス図である。図１０を参照して、端末装置５において、最初にチャネルＸが選択されている。ＯＮＵ２のフィルタリング機能は、チャネルＸの映像データ（マルチキャストフレーム）を通す一方で、チャネルＹの映像データをブロックするように、ＯＬＴ１ａによって設定されている。
【００９５】
Ｓ１１〜Ｓ１３に示される処理は、図８あるいは図９に示すシーケンスにおけるＳ１〜Ｓ３の処理と実質的に同じである。最初に、光回線ユニット（１）がマルチキャスト処理を含むＰＯＮ回線のネットワーク運用を行なっている。ステップＳ１１において、光回線ユニット（１）から光回線ユニット（２）への切換のために、光回線ユニット（１）は、マルチキャスト制御処理を停止する。ステップＳ１１により、光回線ユニット（１）は、マルチキャスト状態を停止する。
【００９６】
ステップＳ１２において、光回線ユニット（１）は、光回線ユニット（１）のマルチキャスト制御に関する最後の状態および設定パラメータなどの情報を、光回線ユニット（２）に送信する（Ｓ１２）。基本的には、光回線ユニット（１）のマルチキャスト状態に関するすべての情報が、光回線ユニット（２）へと送信される。
【００９７】
ステップＳ１３において、光回線ユニット（２）は、起動を開始するための準備（情報および／または状態の反映）を行なう。マルチキャスト制御処理に関して、光回線ユニット（２）の状態は、光回線ユニット（１）の最後の状態に一致する。言い換えると、光回線ユニット（２）の状態は、光回線ユニット（１）の状態と同期する。
【００９８】
ステップＳ１５において、端末装置５は、視聴チャネルをチャネルＸからチャネルＹに切り替えるとともに、視聴チャネルの変更を示すＲｅｐｏｒｔメッセージを送信する。このＲｅｐｏｒｔメッセージは、チャネルＸを視聴しないことを示すメッセージ（ＢＬＯＣＫ）およびチャネルＹを視聴することを示すメッセージ（ＡＬＬＯＷ）を含む。
【００９９】
Ｒｅｐｏｒｔメッセージは、光回線ユニット（１）に届けられる。光回線ユニット（１）は既にマルチキャスト制御処理を停止している。このために、Ｒｅｐｏｒｔメッセージは、光回線ユニット（１）に留まる。なお、Ｒｅｐｏｒｔメッセージは光回線ユニット（１）において廃棄されてもよい。
【０１００】
ステップＳ１４において、光スイッチ１１ａにより、ＰＯＮ回線を終端すべき光回線ユニットが光回線ユニット（１）から光回線ユニット（２）へと切換えられる。これにより運用切換が完了する。ステップＳ１６において、光回線ユニット（２）は、Ｇｅｎｅｒａｌ  Ｑｕｅｒｙメッセージを送信する。Ｇｅｎｅｒａｌ  Ｑｕｅｒｙメッセージの送信は、端末装置５に対して、端末装置５の現在の状態を問合わせることに相当する。
【０１０１】
ＯＮＵ２は、ＯＬＴ１ａからＧｅｎｅｒａｌ  Ｑｕｅｒｙメッセージを受けると、そのＧｅｎｅｒａｌ  ＱｕｅｒｙメッセージをＯＮＵ２の配下の端末装置５に送る。端末装置５は、Ｇｅｎｅｒａｌ  Ｑｕｅｒｙメッセージに応答してＲｅｐｏｒｔメッセージを、ＯＮＵ２を経由してＯＬＴ１ａに送信する（ステップＳ１７）。
【０１０２】
なお、ＯＮＵ２の配下の端末装置５が複数のチャネルを選択してもよい。この場合には、Ｒｅｐｏｒｔメッセージに、複数の選択されたチャネル（たとえばチャネルＸおよびチャネルＺ）の情報を含めることができる。理解を容易にするため、図１０では、端末装置５が１つのチャネルを選択する形態が示される（以下に説明する実施の形態においても同様）。
【０１０３】
Ｇｅｎｅｒａｌ  Ｑｕｅｒｙメッセージへの応答のためのＲｅｐｏｒｔメッセージは、端末装置５で現在視聴されているチャネルのみの情報を含む。光回線ユニット（１）から取得したマルチキャスト状態に関する情報の少なくとも一部と、端末装置５からのＲｅｐｏｒｔメッセージとの差分に基づいて、光回線ユニット（２）は、光回線ユニット（２）のマルチキャスト状態を設定する。具体的には、光回線ユニット（２）は、光回線ユニット（１）から取得したチャネル設定の情報（図５〜図７に示されるテーブルなど）と、Ｒｅｐｏｒｔメッセージにより端末装置５から受け取ったチャネル設定の情報とを比較する。次に、光回線ユニット（２）は、これら２つの情報の差分を生成する（ステップＳ１８）。光回線ユニット（２）は、差分の生成のために、光回線ユニット（１）から取得した情報の少なくとも一部を用いればよく、光回線ユニット（１）から取得した情報のすべてを用いるように限定されるものではない。
【０１０４】
２つの情報の差分とは、光回線ユニット（１）から引き継いだチャネル設定の情報（図５〜図７に示されるテーブルなど）に対する、Ｒｅｐｏｒｔメッセージにより端末装置５から受け取ったチャネル設定の情報との不一致分である。この不一致分に相当する、Ｒｅｐｏｒｔメッセージに含まれる情報が、ＯＮＵ２の宛先ＭＡＣアドレス（フィルタリング機能）を新しく設定するための情報に相当する。この不一致分と、光回線ユニット（１）から引き継いだチャネル設定の情報とに基づいて光回線ユニット（２）は、光回線ユニット（２）のマルチキャスト状態を設定する。
【０１０５】
ステップＳ１９において、光回線ユニット（２）は、その不一致分の差分情報に基づいて、ＯＮＵ２に対して宛先ＭＡＣアドレスを設定する。光回線ユニット（２）は、ＯＮＵ２がチャネルＸの映像データを通さない（ブロックする）一方で、チャネルＹの映像データを通すように、ＯＮＵ２のフィルタリング機能を設定する。したがって、端末装置５において、チャネルＹの映像データを視聴することが可能になる。
【０１０６】
図１１は、切換先の光回線ユニットにおけるマルチキャスト状態の設定を説明するための図である。図１１に示すテーブルは、最初に、図１０に示されたステップＳ１２の処理（光回線ユニット（１）と光回線ユニット（２）との同期）によって、光回線ユニット（１）から光回線ユニット（２）へと引き継がれる。したがって図１１に示すテーブルの当初（設定前）の内容は、図５に示すテーブルの内容と同じとなる。つまり、チャネルＸ（ＣＨＸ）およびチャネルＺ（ＣＨＺ）が視聴されるように設定されている。
【０１０７】
Ｇｅｎｅｒａｌ  Ｑｕｅｒｙメッセージへの応答のために端末装置５からＲｅｐｏｒｔメッセージが送られる。テーブルでは、このＲｅｐｏｒｔメッセージの内容とテーブルの当初の内容との差分（不一致分）に相当する項目のみが光回線ユニット（２）によって更新される。したがって、更新後（設定後）のテーブルにおいて、チャネルＹ（ＣＨＹ）およびチャネルＺ（ＣＨＺ）が視聴されるように設定され、チャネルＸ（ＣＨＸ）は視聴されないよう設定されている。
【０１０８】
図１２は、切換先の光回線ユニットによるＯＮＵの設定処理を説明するためのフローチャートである。このフローチャートの処理は、図１０に示されたＳ１７〜Ｓ１９の処理の１つの具体例であり、たとえばＧｅｎｅｒａｌ  Ｑｕｅｒｙメッセージの送信後に開始される。
【０１０９】
図１２を参照して、ステップＳ１７において、光回線ユニット（２）は、Ｒｅｐｏｒｔメッセージを受信する。ステップＳ１８は、ステップＳ１８１，Ｓ１８２を含む。ステップＳ１８１において、光回線ユニット（２）は、光回線ユニット（１）から引き継いだチャネルの設定（図５に示すテーブル）と、Ｒｅｐｏｒｔメッセージによって示されるチャネルの設定とを比較する。
【０１１０】
ステップＳ１８２において、光回線ユニット（２）は、両方の設定に不一致分が発生しているかどうかを判定する。両方の設定が一致している場合（ステップＳ１８２においてＮＯ）、処理はメインルーチンに戻される。したがってＯＮＵ２のフィルタリングの設定は光回線ユニットの切換前後で変わらない。一方、両方の設定に不一致分が発生している場合（ステップＳ１８２においてＹＥＳ）、処理はステップＳ１９に進む。
【０１１１】
ステップＳ１９において、光回線ユニット（２）は、Ｒｅｐｏｒｔメッセージに基づいてＯＮＵのフィルタ（ＭＡＣアドレス）を設定する。ステップＳ１９の処理により、ＯＬＴ１ａと端末装置５との間でのチャネル設定の不一致が解消する。
【０１１２】
以上のように、第２の実施形態では、端末装置の状態の変更を第２の光回線ユニットのマルチキャスト状態に反映させることができる。光回線ユニットの切換の間に端末装置の状態が変更された場合にも、光回線ユニットの切換後に、ＯＬＴが認識する端末装置の状態と、その端末装置の実際の状態とを整合させることができる。したがって、端末装置５において、映像が切換わらないままになるという問題が生じる確率を小さくできる。これにより、マルチキャストサービスの円滑な提供を実現することができる。
【０１１３】
さらに第２の実施形態によれば、第２の光回線ユニットは、運用切換の終了後に、チャネル設定の不一致分、すなわちチャネル設定の差分に基づいてＯＮＵ２のフィルタリング機能を設定する。これにより、第２の光回線ユニットのマルチキャスト状態の設定およびＯＮＵのフィルタリング機能の設定に要する時間を短くすることができる。
【０１１４】
＜第３の実施形態＞
図１３は、本発明の第３の実施形態に係る光回線ユニットの切換方法を説明するためのシーケンス図である。図１０および図１３を参照して、第３の実施形態では、ステップＳ１１の処理が省略される。すなわち、切換元の光回線ユニット（光回線ユニット（１））は、Ｓ１４における運用切換まで、マルチキャスト制御処理を継続することができる。
【０１１５】
さらに、第３の実施形態では、ステップＳ１２の処理に代えてステップＳ２２の処理が実行される。ステップＳ２２において光回線ユニット（１）は、設定パラメータなどの情報（たとえば図６および図７に示すテーブル）を、切換先の光回線ユニット（光回線ユニット（２））へと送信する。第３の実施形態は、切換元の光回線ユニットと切換先の光回線ユニットとの間での状態同期が省略される点において、第２の実施形態と異なる。すなわち、光回線ユニット（２）は、光回線ユニット（１）の記憶する情報のうちの一部の情報を、光回線ユニット（１）から取得する。
【０１１６】
第３の実施形態では、たとえば、図５に示すテーブルの内容は、光回線ユニット（１）から光回線ユニット（２）には引き継がれない。したがって光回線ユニット（２）において、図５に示すテーブルで管理された各チャネルは、初期状態において、すべて「視聴しない」となっている。
【０１１７】
ステップＳ１４において、光スイッチ１１ａにより、ＰＯＮ回線を終端すべき光回線ユニットが光回線ユニット（１）から光回線ユニット（２）へと切換えられる。これにより運用切換が完了する。運用切換の後、光回線ユニット（２）がＧｅｎｅｒａｌ  Ｑｕｅｒｙメッセージを端末装置５に送信する（Ｓ１６）。ステップＳ１７において、端末装置５は、Ｇｅｎｅｒａｌ  Ｑｕｅｒｙメッセージに応答して、ＲｅｐｏｒｔメッセージをＯＬＴ１ａに送信する。
【０１１８】
第３の実施形態では、ステップＳ１８の処理に代えてステップＳ２８の処理が実行される。光回線ユニット（２）は、端末装置５からのＲｅｐｏｒｔメッセージに基づいて、図５に示すテーブルを更新する。これによって、光回線ユニット（２）によって管理されるチャネルの視聴状態が更新されて、チャネルＹが視聴されるように設定される。この設定は、光回線ユニット（２）におけるマルチキャスト状態の設定に相当する。
【０１１９】
ステップＳ１９において、光回線ユニット（２）は、ステップＳ２８での設定に基づいてＯＮＵ２に対して宛先ＭＡＣアドレスを設定する。これにより、チャネルＹの映像データがＯＮＵ２を通される。
【０１２０】
図１０に示される場合と同様に、ステップＳ１５において、端末装置５は、視聴チャネルをチャネルＸからチャネルＹに切換えるとともに、視聴チャネルの変更を示すＲｅｐｏｒｔメッセージを送信する。可能であれば、運用切換（Ｓ１４）の前に、Ｒｅｐｏｒｔメッセージに基づいて光回線ユニット（１）がＯＮＵ２に対して宛先ＭＡＣアドレスを設定する。しかしながら、光回線ユニット（１）がＯＮＵ２に対して宛先ＭＡＣアドレスを設定できなくても、ステップＳ２８において、光回線ユニット（２）は、端末装置５からのＲｅｐｏｒｔメッセージに基づいて、全チャネルを更新する（図５に示すテーブルの内容をすべて更新する）。したがって、第３の実施形態によれば、第１および第２の実施形態と同様に、光回線ユニットの切換後において、ＯＬＴ１ａの認識する端末装置５の状態と、端末装置５の実際の状態とを整合させることができる。
【０１２１】
さらに第３の実施形態によれば、切換元の光回線ユニットと切換先の光回線ユニットとの間での状態の同期が行なわれない。したがって、光回線ユニットの切換に要する時間を短縮できる。
【０１２２】
＜第４の実施形態＞
第４の実施形態では、第２の実施形態と第３の実施形態とが組合わされる。図１４は、本発明の第４の実施形態に係る光回線ユニットの切換方法を説明するためのシーケンス図である。図１４を参照して、光回線ユニット（１）から光回線ユニット（２）への切換準備中に端末装置５からＲｅｐｏｒｔメッセージが送信された場合、光回線ユニット（１）は、一旦、そのＲｅｐｏｒｔメッセージを受信する。光回線ユニット（１）は、Ｒｅｐｏｒｔメッセージを光回線ユニット（２）に転送する。
【０１２３】
ステップＳ１８において、光回線ユニット（２）は、光回線ユニット（１）から引き継いだチャネル設定の情報（図５〜図７に示されるテーブルなど）と、Ｒｅｐｏｒｔメッセージにより端末装置５から受け取ったチャネル設定の情報とを比較する。光回線ユニット（２）は、これら２つの情報の差分を生成して、その差分に基づいて、光回線ユニット（２）に記憶される情報（代表的には、図５に示すテーブル）を更新する。
【０１２４】
運用切換（Ｓ１４）の後、光回線ユニット（２）は、Ｇｅｎｅｒａｌ  Ｑｕｅｒｙメッセージを端末装置５に送信する（Ｓ１６）。ステップＳ１７において、端末装置５は、Ｇｅｎｅｒａｌ  Ｑｕｅｒｙメッセージに応答して、ＲｅｐｏｒｔメッセージをＯＬＴ１ａに送信する。ステップＳ２８において、光回線ユニット（２）は、端末装置５からのＲｅｐｏｒｔメッセージに基づいて、図５に示すテーブルの全内容を更新する。ステップＳ１９において、光回線ユニット（２）は、ステップＳ２８での設定に基づいてＯＮＵ２に対して宛先ＭＡＣアドレスを設定する。
【０１２５】
第４の実施形態によれば、第２あるいは第３の実施形態よりも、光回線ユニット（２）に記憶されるマルチキャスト状態に関する情報を更新する頻度が多い。したがって、光回線ユニットの切換後において、ＯＬＴ１ａの認識する端末装置５の状態と、端末装置５の実際の状態とが整合しない確率をより小さくすることができる。
【０１２６】
＜第５の実施形態＞
図１５は、本発明の第５の実施形態に係る光回線ユニットの切換方法を説明するためのシーケンス図である。図１０および図１５を参照して、第５の実施形態では、第２の実施の形態に係る処理にステップＳ１０およびステップＳ２０の処理が追加される。すなわち、ステップＳ１０において、光回線ユニット（１）は、上り帯域の割り当てのための処理であるＤＢＡ（Dynamic Bandwidth Allocation）を停止する。ＤＢＡの停止以後、各ＯＮＵには、上りデータを送信するための上り帯域が割り当てられない。
【０１２７】
第２の実施形態と同様に、ステップＳ１１からＳ１４の処理が実行される。ステップＳ１５において、端末装置５は、視聴チャネルをチャネルＸからチャネルＹに切り替えるとともに、視聴チャネルの変更を示すＲｅｐｏｒｔメッセージを送信する。ＯＮＵ２に上り帯域が割り当てられていないため、ＯＮＵ２はこのＲｅｐｏｒｔメッセージをＯＬＴ１ａに送信することができない。したがってＲｅｐｏｒｔメッセージはＯＮＵ２において一旦蓄積される。
【０１２８】
運用切換（Ｓ１４）後に光回線ユニット（２）は、ＤＢＡを開始する（Ｓ２０）。すなわち、ＯＬＴ１ａは、各ＯＮＵに対して上り帯域を割り当てる。ＤＢＡは公知の手順に従って実行可能であるので、詳細な説明を繰り返さずに概要を説明する。各ＯＮＵ２が必要とする要求帯域をもとに、ＯＬＴ１ａは各ＯＮＵ２に割り当てる帯域を算出する。その算出結果に基づいて、ＯＬＴ１ａは各ＯＮＵ２へ上り帯域を動的に割り当てる。
【０１２９】
ＤＢＡの開始により、ＯＮＵ２に蓄積されていたＲｅｐｏｒｔメッセージは、ＯＬＴ１ａ（光回線ユニット（２））へと送信される（Ｓ１７）。光回線ユニット（２）は、このＲｅｐｏｒｔメッセージに従って、内部のテーブル（図５参照）におけるチャネルの設定を更新する。光回線ユニット（２）は、光回線ユニット（１）から引き継いだチャネル設定の情報（図５〜図７に示されるテーブルなど）と、Ｒｅｐｏｒｔメッセージにより端末装置５から受け取ったチャネル設定の情報とを比較して、これら２つの情報の差分を生成する（Ｓ１８）。この処理は、第２の実施の形態に係る処理と同様である。したがって端末装置５において、チャネルＸが視聴されない一方、チャネルＹが視聴されるようにテーブルが更新される。これにより光回線ユニット（２）のマルチキャスト状態が設定される。光回線ユニット（２）は、この設定に従って、ＯＮＵ２の宛先ＭＡＣアドレスを設定する（Ｓ１９）。
【０１３０】
第５の実施形態によれば、ＤＢＡを停止している間に光回線ユニットの切換が行なわれる。したがって、第１の光回線ユニットから第２の光回線ユニットへの切換中に端末装置の状態が変更された場合に、端末装置の状態の変更が第２の光回線ユニットのマルチキャスト状態に反映されない可能性を小さくすることができる。第１の光回線ユニットから第２の光回線ユニットへの切換の間には、受動的光ネットワークの上り帯域の割当てが停止される。このため、端末装置５からの情報はＯＮＵ２に一旦蓄積されて、上り帯域の割当ての再開後にＯＬＴ１ａに送られる。したがって、端末装置５からの情報を第２の光回線ユニットに届けることができる。これにより、端末装置５の状態の変更を第２の光回線ユニットのマルチキャスト状態に反映させることができる。
【０１３１】
したがって、第５の実施形態によれば、第１〜第４の実施形態と同様に、光回線ユニットの切換後において、ＯＬＴ１ａの認識する端末装置５の状態と、端末装置５の実際の状態とを整合させることができる。
【０１３２】
＜第６の実施形態＞
第６の実施形態では、第３の実施形態の処理に、ＤＢＡの停止およびＤＢＡの開始が追加される。第６の実施形態では、切換元の光回線ユニットまたは切換先の光回線ユニットがＧｅｎｅｒａｌ  Ｑｕｅｒｙメッセージを送信する。
【０１３３】
図１６は、本発明の第６の実施形態に係る光回線ユニットの１つの切換方法を説明するためのシーケンス図である。図１５および図１６を参照して、光回線ユニット（１）は、設定パラメータなどの情報（たとえば図６および図７に示すテーブル）を、切換先の光回線ユニット（光回線ユニット（２））へと送信する（Ｓ２２）。すなわち光回線ユニット（２）は、光回線ユニット（１）の記憶する情報のうちの一部の情報を、光回線ユニット（１）から取得する。
【０１３４】
ステップＳ１５Ａにおいて、端末装置５は、視聴チャネルをチャネルＸからチャネルＹに切り替えるとともに、視聴チャネルの変更を示すＲｅｐｏｒｔメッセージを送信する。ステップＳ１０においてＤＢＡが停止されているため、ＯＮＵ２に上り帯域が割り当てられていない。このため、ＲｅｐｏｒｔメッセージはＯＮＵ２において一旦蓄積される。
【０１３５】
運用切換（Ｓ１４）に先立って、光回線ユニット（１）は、Ｇｅｎｅｒａｌ  Ｑｕｅｒｙメッセージを端末装置５に送信する（Ｓ１６）。端末装置５は、Ｇｅｎｅｒａｌ  Ｑｕｅｒｙメッセージに応答して、チャネルＹを視聴することのみを示すＲｅｐｏｒｔメッセージを送信する（Ｓ１５Ｂ）。このＲｅｐｏｒｔメッセージもＯＮＵ２において一旦保持される。
【０１３６】
運用切換（Ｓ１４）の後にＤＢＡが再開される（Ｓ２０）。ＯＮＵ２に保持された２つのＲｅｐｏｒｔメッセージが、順次送信される。ＯＮＵ２は、Ｒｅｐｏｒｔメッセージを蓄積可能なキュー（図示せず）を備える。したがって、２つのＲｅｐｏｒｔメッセージの送信順は、それら２つのＲｅｐｏｒｔメッセージがＯＮＵ２に到着した順と同じである。したがって、ＯＮＵ２からは、まず、チャネルＸを視聴せず、チャネルＹを視聴することを示すＲｅｐｏｒｔメッセージが送信される（Ｓ１７Ａ）。次に、ＯＮＵ２からは、チャネルＹを視聴することのみを示すＲｅｐｏｒｔメッセージが送信される（Ｓ１７Ｂ）。
【０１３７】
一実施形態では、ステップＳ１７Ａにおいて、光回線ユニット（２）は、１番目のＲｅｐｏｒｔメッセージを受信して、そのＲｅｐｏｒｔメッセージに基づいて全チャネルを更新する（Ｓ２８）。この処理は第３の実施形態と同様である。さらに、ステップＳ１７Ｂにおいて、光回線ユニット（２）は２番目のＲｅｐｏｒｔメッセージを受信して、光回線ユニット（２）の内部のチャネル設定の情報（図５〜図７に示されるテーブルなど）と、Ｒｅｐｏｒｔメッセージとの差分を生成する（Ｓ１８）。光回線ユニット（２）は、その差分に基づいて、ＯＮＵ２に対して宛先ＭＡＣアドレスを設定する（Ｓ１９）。
【０１３８】
なお、光回線ユニット（２）は、２つのＲｅｐｏｒｔメッセージを比較して、それらのＲｅｐｏｒｔメッセージに基づいて光回線ユニット（２）の内部のチャネル設定の情報を更新するとともにＯＮＵ２に対して宛先ＭＡＣアドレスを設定することもできる。２つのＲｅｐｏｒｔメッセージは、いずれも、視聴チャネルがチャネルＹであることを示している。したがって端末装置５において、チャネルＹの映像データを視聴することが可能になる。
【０１３９】
図１７は、本発明の第６の実施形態に係る光回線ユニットの別の切換方法を説明するためのシーケンス図である。図１７に示すシーケンスでは、ＤＢＡ開始（Ｓ２０）の後に、光回線ユニット（２）がＧｅｎｅｒａｌ  Ｑｕｅｒｙメッセージを送信する（Ｓ１６）。
【０１４０】
ＤＢＡの停止中に端末装置５がチャネルを切換えるとともに視聴チャネルの変更を示すＲｅｐｏｒｔメッセージを送信した場合、そのＲｅｐｏｒｔメッセージは、ＤＢＡが開始されるまでＯＮＵ２に保持される（Ｓ１５Ａ）。ＤＢＡの開始後に、ＲｅｐｏｒｔメッセージがＯＮＵ２から送信されて、光回線ユニット（２）は、そのＲｅｐｏｒｔメッセージを受ける（Ｓ１５Ｃ）。このＲｅｐｏｒｔメッセージは、チャネルＸを視聴しない一方でチャネルＹを視聴することを示す。光回線ユニット（２）は、このＲｅｐｏｒｔメッセージに基づいて全チャネルを更新する（Ｓ２８）。
【０１４１】
さらに、端末装置５は、Ｇｅｎｅｒａｌ  Ｑｕｅｒｙメッセージへの応答のためのＲｅｐｏｒｔメッセージをＯＬＴ１ａ（光回線ユニット（２））に送信する。このＲｅｐｏｒｔメッセージはチャネルＹを視聴することのみを示す。光回線ユニット（２）はこのＲｅｐｏｒｔメッセージに基づいて、光回線ユニット（２）の内部のチャネル設定の情報（図５〜図７に示されるテーブルなど）と、Ｒｅｐｏｒｔメッセージとの差分を生成する（ステップＳ１８）。光回線ユニット（２）は、その差分に基づいて、ＯＮＵ２に対して宛先ＭＡＣアドレスを設定する（Ｓ１９）。
【０１４２】
図１６に示す処理と同様に、光回線ユニット（２）は、上記の２つのＲｅｐｏｒｔメッセージに従って、ＯＮＵ２の宛先ＭＡＣアドレスを設定してもよい。図１７に示す実施形態においても、２つのＲｅｐｏｒｔメッセージは、いずれも視聴チャネルがチャネルＹであることを示している。したがって端末装置５において、チャネルＹの映像データを視聴することが可能になる。
【０１４３】
なお、２つのＲｅｐｏｒｔメッセージが光回線ユニット（２）に到着する時間間隔によっては、光回線ユニット（２）がＲｅｐｏｒｔメッセージを受けるごとにＯＮＵ２の宛先ＭＡＣアドレスを設定することも起こり得る。この場合にも、端末装置５において、チャネルＹの映像データを視聴することが可能になる。
【０１４４】
以上のように、第６の実施形態によれば、第１〜第５の実施形態と同様に、光回線ユニットの切換後において、ＯＬＴ１ａの認識する端末装置５の状態と、端末装置５の実際の状態とを整合させることができる。また、第５の実施の形態と同様に、第１の光回線ユニットから第２の光回線ユニットへの切換中に端末装置の状態が変更された場合に、端末装置の状態の変更が第２の光回線ユニットのマルチキャスト状態に反映されない可能性を小さくすることができる。
【０１４５】
なお、図１６および図１７に示された形態では、光回線ユニット（１）と光回線ユニット（２）との間での状態の同期が行なわれない。ただし、第１の実施の形態等と同じく、光回線ユニット（１）と光回線ユニット（２）との間で状態の同期を行なってもよい。その場合、ステップＳ１８の処理とステップＳ２８の処理との順序を入れ替えることもできる。
【０１４６】
また、繰り返すように、第２〜第６の実施形態に係る処理は、光回線ユニットの切換時に端末装置５においてチャネルが切換えられた場合に対処するための処理である。したがって光回線ユニットの切換時に端末装置５がチャネルを切換えない場合にも、第２〜第６の実施形態に係る処理を実行することができる。
【０１４７】
また、ＤＢＡの停止および開始は、この発明の実施形態に適用可能である。したがって、ＤＢＡの停止および開始が第５および第６の実施形態にのみ適用可能と限定されるものではない。ＯＬＴ１ａの内部において光回線ユニットの切換えを行なう際に、ＯＮＵ（あるいは端末装置）からの上りフレームがＯＬＴ１ａに入力することを防ぐことが求められる場合があり得る。
【０１４８】
このような場合には、ＤＢＡの停止および開始を適用できる。したがって、たとえば図１８に示すように、第１の実施形態に係る光回線ユニットの切換シーケンス（図８を参照）に、ＤＢＡの停止（Ｓ１０）およびＤＢＡの開始（Ｓ２０）を追加した光回線ユニットの切換シーケンスも、この発明の実施形態に含めることができる。
【０１４９】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５０】
１ａ  局側装置（ＯＬＴ）、２  宅側装置（ＯＮＵ）、３−１〜３−Ｎ  ＰＯＮ回線、４−１〜４−Ｎ  光カプラ、５  端末装置、６  上位ネットワーク、７  ルータ、８  映像配信サーバ、１１ａ  光スイッチ、１２−１〜１２−Ｎ＋１  光回線ユニット（ＯＳＵ）、１３ａ  集線部、１４  制御部、２１  アクチュエータ、２２  可動ミラー、２３−１〜２３−Ｎ＋１，２４−１〜２４−Ｎ  コリメートレンズ、３１  集線ＩＦ部、３２  制御ＩＦ部、３３  受信処理部、３４  送信処理部、３５  ＰＯＮ送受信部、３６  ローカル制御部、３７  ＦＩＦＯ１、３８  ＦＩＦＯ２、４１  アップリンク送受信部、４２  下り配信部、４３  集線制御部、３０１  ＰＯＮシステム。
【図１】
2015035760.tif 000003
【図２】
2015035760.tif 000004
【図３】
2015035760.tif 000005
【図４】
2015035760.tif 000006
【図５】
2015035760.tif 000007
【図６】
2015035760.tif 000008
【図７】
2015035760.tif 000009
【図８】
2015035760.tif 000010
【図９】
2015035760.tif 000011
【図１０】
2015035760.tif 000012
【図１１】
2015035760.tif 000013
【図１２】
2015035760.tif 000014
【図１３】
2015035760.tif 000015
【図１４】
2015035760.tif 000016
【図１５】
2015035760.tif 000017
【図１６】
2015035760.tif 000018
【図１７】
2015035760.tif 000019
【図１８】
2015035760.tif 000020